(57)【要約】  本発明は手書き原筆跡記録及び検索システム、方法、並びに電子装置を開示し、該システムは、記録情報と検索情報とを入力するための入力モジュールと、入力された手書き原筆跡タイトル情報を標準字のタイトル情報にマッチングして記憶するとともに、該タイトル情報に対応する手書き原筆跡の内容情報を記憶するマッチングモジュールと、タイトル情報標準記憶領域及び内容情報原筆跡記憶領域を含む記憶モジュールと、入力された検索情報に基づいて標準字のタイトル情報マッチングを行い、該標準字のタイトル情報により該タイトル情報に対応する手書き原筆跡の内容情報を取得する検索モジュールと、該手書き原筆跡の内容情報を表示する表示モジュールと、前記入力モジュール、マッチングモジュール、表示モジュール、検索モジュール、及び記憶モジュールを協調制御するための主制御モジュールとを備える。本発明は手書き原筆跡記録及び検索機能を実現し、ユーザーに使用上の利便性をもたらし、且つより好ましいユーザー体験を有する。【選択図】図１
2013544401.tif 000002
【特許請求の範囲】
【請求項１】
手書き原筆跡記録及び検索システムであって、
記録情報と検索情報とを入力するための入力モジュールと、
入力された手書き原筆跡タイトル情報を標準字のタイトル情報にマッチングして記憶するとともに、該タイトル情報に対応する手書き原筆跡の内容情報を記憶するマッチングモジュールと、
標準字に識別されたタイトル情報を記憶するためのタイトル情報標準記憶領域と、タイトル情報に対応する内容情報の手書き原筆跡内容を記憶するための内容情報原筆跡記憶領域とを含む記憶モジュールと、
入力された検索情報に基づいて標準字のタイトル情報マッチングを行い、該標準字のタイトル情報により該タイトル情報に対応する手書き原筆跡の内容情報を取得する検索モジュールと、
該手書き原筆跡の内容情報を表示する表示モジュールと、
前記入力モジュール、マッチングモジュール、表示モジュール、検索モジュール、及び記憶モジュールを協調制御するための主制御モジュールと、
を備えることを特徴とする手書き原筆跡記録及び検索システム。
【請求項２】
前記記憶モジュールは標準字に識別された内容情報を記憶するための内容情報標準記憶領域が更に設けられ、前記マッチングモジュールはタイトル情報に対応する内容情報を標準字の内容情報に識別し、且つ前記内容情報標準記憶領域に記憶することを特徴とする請求項１に記載の手書き原筆跡記録及び検索システム。
【請求項３】
前記入力モジュールは、タイトルを入力するためのタイトル入力領域と、タイトルに対応する内容情報を入力するための内容入力領域と、検索キーワードを入力するためのサーチ入力領域とを含むことを特徴とする請求項１に記載の手書き原筆跡記録及び検索システム。
【請求項４】
検索情報のキーワードを入力した後、検索モジュールが選択呼出のため、タイトル情報の中に該キーワードを含む記録エントリーをマッチングすることを特徴とする請求項１に記載の手書き原筆跡記録及び検索システム。
【請求項５】
検索情報のキーワードを入力した後、検索モジュールが選択呼出のため、内容情報の中に該キーワードを含む記録エントリーをマッチングすることを特徴とする請求項２に記載の手書き原筆跡記録及び検索システム。
【請求項６】
検索情報のキーワードを入力した後、検索モジュールが選択呼出のため、タイトル情報の中に該キーワードを含む記録エントリーをマッチングするとともに、内容情報の中に該キーワードを含む記録エントリーをマッチングすることを特徴とする請求項２に記載の手書き原筆跡記録及び検索システム。
【請求項７】
記録エントリーは記録時間の前後関係に応じて順次にソートして表示され、又は、記録エントリーはユーザーが予め設定した重要度に応じて順次にソートして表示され、或いは、記録エントリーは該キーワードのマッチング度に応じてソートして表示されることを特徴とする請求項４〜６のいずれか１項に記載の手書き原筆跡記録及び検索システム。
【請求項８】
請求項１〜７のいずれか１項に記載の手書き原筆跡記録及び検索システムを備えることを特徴とする電子装置。
【請求項９】
手書き原筆跡記録及び検索方法であって、
手書き原筆跡情報を手書きで入力するステップＳ１と、
入力された前記手書き原筆跡情報をマッチングして前記手書き原筆跡情報に対応する標準字情報を取得し、且つ前記手書き原筆跡情報と、マッチングされた前記標準字情報とを関連付けて記憶するステップＳ２と、
検索情報を入力し、前記標準字情報の中でマッチング検索を行い、検索情報に対応する前記手書き原筆跡情報を取得して出力するステップＳ３と、
を含むことを特徴とする手書き原筆跡記録及び検索方法。
【請求項１０】
前記手書き原筆跡情報は、手書き原筆跡タイトル情報及びそれに対応する内容情報を含み、
前記ステップＳ１は、
手書き原筆跡のタイトル情報を手書きで入力するステップＳ１−１と、
前記タイトル情報に対応する手書き原筆跡の内容情報を手書きで入力するステップＳ１−２とを含み、
前記ステップＳ２は、
入力された前記タイトル情報を識別マッチングして前記タイトル情報に対応する標準字タイトル情報を取得して記憶するステップＳ２−１と、
入力された前記内容情報と前記標準字タイトル情報とをマッチングして関連付けるステップＳ２−２とを含み、
前記ステップＳ３は、
標準字検索情報を入力し、又は、原筆跡検索情報を手書きで入力し、且つ対応する標準字検索情報を識別マッチングするステップＳ３−１と、
ステップＳ３−１における前記標準字検索情報に基づき、前記標準字タイトル情報の中でマッチング検索を行い、前記標準字検索情報とマッチングする前記標準字タイトル情報を取得し、更に前記標準字タイトル情報と関連する前記内容情報を取得するステップＳ３−２とを含むことを特徴とする請求項９に記載の手書き原筆跡記録及び検索方法。
【請求項１１】
前記ステップＳ２は更に、入力された前記内容情報を識別マッチングして前記手書き原筆跡内容情報に対応する標準字内容情報を取得し、且つ前記手書き原筆跡内容情報と関連付けて記憶するステップＳ２−３を含み、
前記ステップＳ３は更に、ステップＳ３−１における前記標準字検索情報に基づき、前記標準字内容情報の中でマッチング検索を行い、前記標準字検索情報とマッチングする前記標準字内容情報を取得し、更に前記標準字タイトル情報と関連する前記内容情報を取得するステップＳ３−３を含むことを特徴とする請求項１０に記載の手書き原筆跡記録及び検索方法。
【請求項１２】
手書き原筆跡記録及び検索システムであって、
手書き原筆跡情報と検索情報とを入力するための入力モジュールと、
入力された手書き原筆跡情報を標準字情報にマッチングするとともに、前記手書き原筆跡情報と標準字情報とを関連付けるマッチングモジュールと、
前記手書き原筆跡情報及びそれと関連する前記標準字情報を記憶するための記憶モジュールと、
入力された検索情報に基づき、標準字情報のマッチング検索を行い、前記検索情報とマッチングする前記手書き原筆跡情報を取得する検索モジュールと、
前記検索モジュールで得られる前記手書き原筆跡情報を表示する表示モジュールと、
前記入力モジュール、マッチングモジュール、表示モジュール、検索モジュール、及び記憶モジュールを協調制御するための主制御モジュールと、
を備えることを特徴とする手書き原筆跡記録及び検索システム。
【発明の詳細な説明】
【技術分野】
【０００１】
本発明は電子装置の情報入力及び検索技術に関する。
【背景技術】
【０００２】
コンピュータ技術の発展に伴い、タブレットパソコンが市場に登場し始め、ビジネスマンの携帯必需品となり、その小型で持ち運びに便利な特徴がビジネスマンのいつでもどこでも仕事、勉強、娯楽可能な多種なニーズを満たし、且つそれはマルチタスク操作をサポートし、応用ソフトが豊富に揃っているので、移動オフィスのニーズを全方位で満足できる。
【０００３】
従来の電子装置、特にタブレットパソコンなどは一般的にキーボードやタッチパネルで情報の入力を実現し、最終的にユーザーに見せるのはコンピュータで印刷した標準字体のようなもので、いずれも原筆跡入力(記憶)及び表示機能を実現しなかったので、タブレットパソコン応用システムにおいて、メモ帳機能の応用上でいずれも手書き原筆跡入力（記憶）や検索機能を実現できない。
【発明の概要】
【発明が解決しようとする課題】
【０００４】
本発明の目的は、従来技術の不足に鑑みて、タブレットパソコンなどの電子装置のメモ帳機能応用上で、より好ましいユーザー体験を提供することにある。
【課題を解決するための手段】
【０００５】
このため、本発明は、記録情報と検索情報とを入力するための入力モジュールと、
入力された手書き原筆跡タイトル情報を標準字のタイトル情報にマッチングして記憶するとともに、該タイトル情報に対応する手書き原筆跡の内容情報を記憶するマッチングモジュールと、
標準字に識別されたタイトル情報を記憶するためのタイトル情報標準記憶領域と、タイトル情報に対応する内容情報の手書き原筆跡内容を記憶するための内容情報原筆跡記憶領域とを含む記憶モジュールと、
入力された検索情報に基づき、標準字のタイトル情報マッチングを行い、該標準字のタイトル情報により該タイトル情報に対応する手書き原筆跡の内容情報を取得する検索モジュールと、
該手書き原筆跡の内容情報を表示する表示モジュールと、
前記入力モジュール、マッチングモジュール、表示モジュール、検索モジュール、及び記憶モジュールを協調制御するための主制御モジュールと、を備える手書き原筆跡記録及び検索システムを提供する。
【０００６】
前記手書き原筆跡記録及び検索システムは、実施形態において、前記記憶モジュールは標準字に識別された内容情報を記憶するための内容情報標準記憶領域が更に設けられ、前記マッチングモジュールは更に、タイトル情報に対応する内容情報を標準字の内容情報に識別し、且つ前記内容情報標準記憶領域に記憶する。
【０００７】
前記手書き原筆跡記録及び検索システムは、実施形態において、前記入力モジュールはタイトルを入力するためのタイトル入力領域と、タイトルに対応する内容情報を入力するための内容入力領域と、検索キーワードを入力するためのサーチ入力領域とを含む。
【０００８】
前記手書き原筆跡記録及び検索システムは、実施形態において、検索情報のキーワードを入力した後、検索モジュールが選択呼出のため、タイトル情報の中に該キーワードを含む記録エントリーをマッチングする。
【０００９】
前記手書き原筆跡記録及び検索システムは、実施形態において、検索情報のキーワードを入力した後、検索モジュールが選択呼出のため、タイトル情報又は内容情報の中に該キーワードを含む記録エントリーをマッチングする。
【００１０】
前記手書き原筆跡記録及び検索システムは、実施形態において、検索情報のキーワードを入力した後、検索モジュールが選択呼出のため、タイトル情報の中に該キーワードを含む記録エントリーをマッチングするとともに、内容情報の中に該キーワードを含む記録エントリーをマッチングする。
【００１１】
前記手書き原筆跡記録及び検索システムは、実施形態において、記録エントリーは記録時間の前後関係に応じて順次にソートして表示される。
【００１２】
前記手書き原筆跡記録及び検索システムは、実施形態において、記録エントリーはユーザーが予め設定した重要度に応じて順次にソートして表示される。
【００１３】
前記手書き原筆跡記録及び検索システムは、実施形態において、記録エントリーは該キーワードのマッチング度に応じてソートして表示される。
【００１４】
また、本発明は前記手書き原筆跡記録及び検索システムを備える電子装置を提出した。
【００１５】
該手書き原筆跡記録及び検索システムは、
記録情報と検索情報とを入力するための入力モジュールと、
入力された手書き原筆跡タイトル情報を標準字のタイトル情報にマッチングして記憶するとともに、該タイトル情報に対応する手書き原筆跡の内容情報を記憶するマッチングモジュールと、
標準字に識別されたタイトル情報を記憶するためのタイトル情報標準記憶領域と、タイトル情報に対応する内容情報の手書き原筆跡内容を記憶するための内容情報原筆跡記憶領域とを含む記憶モジュールと、
入力された検索情報に基づき、標準字のタイトル情報マッチングを行い、該標準字のタイトル情報により該タイトル情報に対応する手書き原筆跡の内容情報を取得する検索モジュールと、
該手書き原筆跡の内容情報を表示する表示モジュールと、
前記入力モジュール、マッチングモジュール、表示モジュール、検索モジュール、及び記憶モジュールを協調制御するための主制御モジュールと、を備える。
【００１６】
また、本発明は、手書き原筆跡情報を手書きで入力するステップＳ１と、
入力された前記手書き原筆跡情報をマッチングして前記手書き原筆跡情報に対応する標準字情報を取得し、且つ前記手書き原筆跡情報と、マッチングされた前記標準字情報とを関連付けて記憶するステップＳ２と、
検索情報を入力し、前記標準字情報の中でマッチング検索を行い、検索情報に対応する前記手書き原筆跡情報を取得して出力するステップＳ３と、を含むことを特徴とする手書き原筆跡記録及び検索方法を提供する。
前記手書き原筆跡情報は、手書き原筆跡タイトル情報及びそれに対応する内容情報を含み、
前記ステップＳ１は、
手書き原筆跡タイトル情報を手書きで入力するステップＳ１−１と、
前記タイトル情報に対応する手書き原筆跡の内容情報を手書きで入力するステップＳ１−２とを含み、
前記ステップＳ２は、
入力された前記手書き原筆跡タイトル情報を識別マッチングして前記手書き原筆跡タイトル情報に対応する標準字タイトル情報を取得して記憶するステップＳ２−１と、
入力された前記手書き原筆跡内容情報と前記標準字タイトル情報とをマッチングして関連付けるステップＳ２−２とを含み、
前記ステップＳ３は、
標準字検索情報を入力し、又は、原筆跡検索情報を手書きで入力し、且つ対応する標準字検索情報を識別マッチングするステップＳ３−１と、
ステップＳ３−１における前記標準字検索情報に基づき、前記標準字タイトル情報の中でマッチング検索を行い、前記標準字検索情報とマッチングする前記標準字タイトル情報を取得し、更に前記標準字タイトル情報と関連する前記手書き原筆跡内容情報を取得するステップＳ３−２とを含み、
前記ステップＳ２は、入力された前記手書き原筆跡内容情報を識別マッチングして前記手書き原筆跡内容情報に対応する標準字内容情報を取得し、且つ前記手書き原筆跡内容情報と関連付けて記憶するステップＳ２−３を更に含み、
前記ステップＳ３は、ステップＳ３−１における前記標準字検索情報に基づき、前記標準字内容情報の中でマッチング検索を行い、前記標準字検索情報とマッチングする前記標準字内容情報を取得し、更に前記標準字タイトル情報と関連する前記手書き原筆跡内容情報を取得するステップＳ３−３を更に含む。
【００１７】
また、本発明は、手書き原筆跡情報と検索情報とを入力するための入力モジュールと、
入力された手書き原筆跡情報を標準字情報にマッチングするとともに、前記手書き原筆跡情報と標準字情報とを関連付けるマッチングモジュールと、
前記手書き原筆跡情報及びそれと関連する前記標準字情報を記憶するための記憶モジュールと、
入力された検索情報に基づき、標準字情報のマッチング検索を行い、前記検索情報とマッチングする前記手書き原筆跡情報を取得する検索モジュールと、
前記検索モジュールで得られる前記手書き原筆跡情報を表示する表示モジュールと、
前記入力モジュール、マッチングモジュール、表示モジュール、検索モジュール、及び記憶モジュールを協調制御するための主制御モジュールと、を含む手書き原筆跡記録及び検索システムを提供する。
【発明の効果】
【００１８】
本発明は手書き原筆跡記録及び検索システムにより、手書き原筆跡記録及び検索機能を実現し、ユーザーにとって、原筆跡を直接に入力して検索すれば、原筆跡で表示する内容を検索することができる。例えば、ユーザーが手書きで「海」を入力すると、タイトルの中に「海」という字を含むすべての内容をすぐにサーチでき、入力された原筆跡を直接に利用して検索を行う機能を実現し、ユーザーの利用に利便性をもたらし、且つより好ましいユーザー体験を有する。
【００１９】
更に、本発明は入力内容の識別と検索を行うことができ、且つユーザーが見るのは原筆跡内容であり、要求に合致する記事項目が複数個識別されれば、表示する時、該複数個の記事項目について、例えば、記録時間、重要度、キーワードのマッチング度などに応じてソートすることができ、ユーザーの利用にもっと便利である。
【図面の簡単な説明】
【００２０】
【図１】図１は本発明の実施例１の構造模式ブロック図である。
【図２】図２は本発明の実施例１の入力モジュールの模式ブロック図である。
【図３】図３は本発明の実施例２の構造模式ブロック図である。
【発明を実施するための形態】
【００２１】
以下、図面を参照しながら、具体的な実施例により本発明を更に詳しく説明する。
【００２２】
実施例１
本実施例の電子装置はタブレットパソコンを例とし、該タブレットパソコンは手書き原筆跡記録及び検索システムを備え、図１に示すように、システムは主制御モジュール１１、入力モジュール１２、マッチングモジュール１３、検索モジュール１４、記憶モジュール１５、及び表示モジュール１６を含み、記憶モジュール１５は、タイトル情報標準記憶領域１５１及び内容情報原筆跡記憶領域１５２を含む。
【００２３】
入力モジュール１２は手書き原筆跡情報の入力に用いられ、メインＨＭＩ（ヒューマン・マシン・インターフェース）として、１つのタイトル入力領域１２１、１つの内容入力領域１２２、及び１つのサーチ入力領域１２３に分けられ、該タイトル入力領域１２１は原筆跡のタイトル情報の入力に用いられ、該内容入力領域１２２は該タイトル情報に対応する原筆跡内容情報の入力に用いられ、該サーチ入力領域１２３はユーザーの原筆跡サーチキーワードの入力に用いられる。
【００２４】
タブレットパソコンによって情報処理を行う際、主制御モジュール１１の協調制御の下で、具体的なステップは、
手書きペン(例えば、電磁ペン)で手書き原筆跡情報を入力し、例えば、タイトル入力領域１２１にタイトル情報を手書きで入力し、内容入力領域１２２に該タイトルに対応する内容情報を手書きで入力するという、入力された情報を入力モジュール１２で記録するステップと、
入力された手書き原筆跡情報をマッチングして手書き原筆跡情報に対応する標準字情報を取得し、且つ手書き原筆跡情報と、マッチングされた前記標準字情報とを関連付けて記憶するという、マッチングモジュール１３で情報の記憶とマッチングとを行うステップと、ただし、本実施例において、入力されたタイトル情報を識別し、且つ識別されたタイトル情報と、タブレットパソコンの字データベースに予め記憶された標準字とをマッチング選択し、且つマッチング選択された標準字をタイトル情報標準記憶領域１５１に記録、記憶し、対応する内容情報はＳＶＧスケーラブル・ベクトル・グラフィックス形式での原筆跡として内容情報原筆跡記憶領域１５２に記憶され、こうしてタイトル情報が標準字により原筆跡の内容情報とマッチングでき、
検索情報を入力し、標準字情報の中でマッチング検索を行い、検索情報に対応する原筆跡情報を取得して出力するという、検索モジュール１４で情報検索を行うステップと、ただし、本実施例において、手書きペン(例えば、電磁ペン)でサーチ入力領域１２３内にサーチキーワードを手書きで入力し、入力されたキーワードを識別し、且つマッチングして該キーワードに対応する標準字を取得し、勿論、キーボードなどによって直接に標準字検索情報を入力してもよく、該キーワードの標準字によって対応するタイトル情報の標準字を検索し、最終的に関連する内容情報の原筆跡内容を取得し、
タイトル情報、及び該タイトル情報とマッチングした内容情報が呼び出され、且ついずれも原筆跡の形式で再現するという、表示モジュール１６で原筆跡内容を表示するステップとを含む。
【００２５】
上述したステップにおいて、ユーザーは原筆跡でタイトル情報を入力してサーチし、得られた内容情報も完全に元の手書きで入力された内容の再現であり、まるでユーザーがリアルのペーパーノートブックを調べているようである。
【００２６】
実施例２
図３に示すように、実施例１と異なるところは主に、本実施例における記憶モジュール１５には標準字に識別された内容情報を記憶するための内容情報標準記憶領域１５３が増設されることにある。
【００２７】
本実施例において、マッチングモジュール１３ではタイトル情報が標準字に識別され、対応する内容情報も標準字に識別されて内容情報標準記憶領域１５３に記憶されるとともに、対応する内容情報もＳＶＧスケーラブル・ベクトル・グラフィックス形式での原筆跡として内容情報原筆跡記憶領域１５２に記憶される。
【００２８】
情報検索を行う際、キーワードを入力した後、検索モジュール１４はタイトル情報及び/又は内容情報の中に該キーワードを含む記録エントリーをマッチングし、且つユーザーの予め設定したソート方式に従ってソートし、本実施例では、記録エントリーがリストで表示モジュール１６に表示され、ユーザーの読み取りに便利である。ユーザーがある記録エントリーを選択すると、マッチングした内容情報の原筆跡記録が呼び出され、且つ直接に表示される。
【００２９】
上述したユーザーの予め設定したソート方式はユーザーの記録時間の前後関係、予め設定された重要度などに応じてソートすることを含み、勿論、それに限定することではない。
【００３０】
更に、ユーザーがソート方式を設定しない場合、記録エントリーはデフォルトで該キーワードのマッチング度に応じてソートされ、まずは、手書き原筆跡タイトル情報におけるマッチング度が最も高い記録エントリーを選び、次に、マッチング度が２番目の高い記録エントリーを選び、…、手書き原筆跡タイトル情報に該キーワードを含まない場合、手書き原筆跡の内容情報におけるマッチング度が最も高い記録エントリーを選び、次に、マッチング度が２番目の高い記録エントリーを選び、…、手書き原筆跡の内容情報におけるマッチング度が最も高い記録エントリーを選ぶ時、該マッチング度の高さの評価は該キーワードに合致する字数を主な依拠とする。
【００３１】
実施例３
本実施例において、タブレットパソコンの入力モジュール（ＨＭＩ）に１つのタイトル入力領域、１つの内容入力領域、及び１つのサーチ入力領域が分けられる過程で、タイトル入力領域と内容入力領域とは記録が入力される時に同時に表示されることができ、サーチ入力領域は検索機能を呼び出す時のみ、表示されることができる。
【００３２】
上述の各実施例において、前記キーワードは１つの字、１つの単語、１つの連語、複数の字又は複数の単語などであってもよい。
【００３３】
以上は、具体的な好ましい実施形態により本発明に対して更に詳しく説明したが、本発明の具体的な実施はこれらの説明だけに限定するものではない。当業者は本発明の構想から脱逸しない前提で、若干の簡単な推論や取替えを作ることができ、いずれも本発明の提出した特許請求の範囲で確定される特許保護範囲に属する。例えば、検索ステップで、検索情報のキーワードを入力した後、検索モジュールがタイトル情報の中に該キーワードを含む記録エントリーをマッチングすることができるとともに、内容情報の中に該キーワードを含む記録エントリーをマッチングすることができ、ユーザーの選択呼出を便利にするように、それぞれ２つの記録エントリーを列する。
【図１】
2013544401.tif 000003
【図２】
2013544401.tif 000004
【図３】
2013544401.tif 000005
【国際調査報告】
2013544401.tif 000006
2013544401.tif 000007
2013544401.tif 000008
2013544401.tif 000009